(57)【特許請求の範囲】
【請求項１】
貨幣を受け入れる受入部と、
貨幣を金種別に収納するとともに１枚ずつ繰り出すことができる収納部と、
貨幣を外部から取り出し可能に出金する出金部と、
前記受入部が受け入れた貨幣の識別、前記収納部から繰り出される貨幣の金種別枚数の計数、出金リジェクト貨幣の検出、及び前記出金部から出金される貨幣の金種別枚数の計数を行う識別部と、
前記出金リジェクト貨幣を収納するリジェクト部と、
在高データを記憶する記憶部と、
前記収納部に収納されている貨幣の在高を機内在高とする第１在高管理モードと、前記収納部に収納されている貨幣及び前記リジェクト部に収納されている貨幣の在高を機内在高とする第２在高管理モードを切り替える管理モード切替部と、
前記識別部から計数結果を取得し、前記管理モード切替部により前記第１在高管理モードが指定された場合、前記収納部から繰り出される貨幣の金種別枚数の計数結果に基づいて前記在高データを更新し、前記第２在高管理モードが指定された場合、前記出金部から出金される貨幣の金種別枚数の計数結果に基づいて前記在高データを更新する制御部と、
を備える釣銭機。
【請求項２】
預かり貨幣の入金後に釣銭を出金する入金優先モードと、釣銭の出金後に預かり貨幣を入金する出金優先モードを切り替える優先モード切替部をさらに備え、
前記優先モード切替部により前記出金優先モードが指定された場合、前記制御部は、前記収納部から繰り出される貨幣の金種別枚数の計数結果に基づいて前記在高データを更新し、前記預かり貨幣のうち、前記識別部がリジェクト貨幣と判定した貨幣を前記リジェクト部に収納させることを特徴とする請求項１に記載の釣銭機。
【請求項３】
前記優先モード切替部により前記入金優先モードが指定された場合、前記制御部は、前記預かり貨幣のうち、前記識別部がリジェクト貨幣と判定した貨幣を前記出金部から返却させることを特徴とする請求項２に記載の釣銭機。
【請求項４】
前記管理モード切替部により在高管理モードが切り替えられる場合、前記制御部は、前記収納部に収納されている貨幣を全て繰り出すように制御することを特徴とする請求項１乃至３のいずれかに記載の釣銭機。
【請求項５】
前記リジェクト部から前記収納部への貨幣の戻し入れを報知する報知部をさらに備え、
前記制御部は、前記管理モード切替部により前記第２在高管理モードが指定されており、かつ前記リジェクト部にリジェクト貨幣が収納されている時に、前記報知部が貨幣の戻し入れの報知を行うように制御することを特徴とする請求項１乃至４のいずれかに記載の釣銭機。
【請求項６】
貨幣を受け入れる受入部と、
前記受入部が受け入れた貨幣を識別する識別部と、
前記識別部が識別した貨幣を金種別に収納するとともに、出金指示に基づいて貨幣を１枚ずつ繰り出すことができる収納部と、
前記収納部から繰り出される貨幣の金種別枚数を計数する第１計数部と、
貨幣を外部から取り出し可能に出金する出金部と、
前記出金指示された出金枚数と、前記第１計数部により計数結果とが異なっていた場合に、前記収納部から繰り出された貨幣を出金リジェクト貨幣として検出する検出部と、
前記出金部から出金される貨幣の金種別枚数を計数する第２計数部と、
在高データを記憶する記憶部と、
前記収納部に収納されている貨幣の在高を機内在高とする第１在高管理モードと、前記収納部に収納されている貨幣及び前記出金リジェクト貨幣を機内在高とする第２在高管理モードを切り替える管理モード切替部と、
前記収納部への貨幣の戻し入れを報知する報知部と、
前記管理モード切替部により前記第１在高管理モードが指定された場合、前記第１計数部による計数結果に基づいて前記在高データを更新し、前記第２在高管理モードが指定された場合、前記第２計数部による計数結果に基づいて前記在高データを更新するとともに、前記検出部により前記出金リジェクト貨幣が検出されたときは、前記報知部を制御して、前記出金部から出金された前記出金リジェクト貨幣を前記収納部へ戻し入れるよう報知する制御部と、
を備える釣銭機。
【請求項７】
記憶部に釣銭機の機内在高を示す在高データを記憶するステップと、
金種別に貨幣を収納する収納部に収納されている貨幣在高を前記機内在高とする第１在高管理モードと、前記収納部に収納されている貨幣及び前記釣銭機内のリジェクト部に収納されている出金リジェクト貨幣の在高を前記機内在高とする第２在高管理モードを切り替えるステップと、
前記第１在高管理モードが指定された場合に、前記収納部から繰り出される貨幣の金種別枚数の計数結果に基づいて前記在高データを更新するステップと、
前記第２在高管理モードが指定された場合に、前記釣銭機の出金部から出金される貨幣の金種別枚数の計数結果に基づいて前記在高データを更新するステップと、
をコンピュータに実行させることを特徴とする在高管理プログラム。
【発明の詳細な説明】
【技術分野】
【０００１】
本発明は、複数の管理モードを切り替えて機内在高を管理する釣銭機及び在高管理プログラムに関する。
【背景技術】
【０００２】
スーパーマーケットやコンビニエンスストア等の店舗には、紙幣及び硬貨の入出金を行う釣銭機と、顧客の購入商品の登録や釣銭機に対する釣銭の出金指示を行うレジスタとが設けられている。
【０００３】
例えば特許文献１には、貨幣を受け入れる受入部と、受け入れた貨幣を識別・計数する識別部と、この識別部で識別された貨幣を金種別に収納するとともに１枚ずつ繰り出すことができる収納部と、この収納部に収納される貨幣の金種別枚数を計数する収納枚数計数部と、この収納部から繰り出された貨幣を外部から取り出し可能に出金する出金部と、を備えた釣銭機が開示されている。また、収納部から繰り出された貨幣のうち、斜行や重送等により出金不可と判定された貨幣を収納するリジェクト部、及び出金部から出金される貨幣の金種別枚数を計数する出金枚数計数部が設けられた釣銭機も知られている。
【０００４】
特許文献１に記載の釣銭機は、識別部又は収納枚数計数部の計数結果に基づいて入金額を確定し、この入金額をレジスタに通知する。レジスタは、入金額から売上額を減じて釣銭額を算出し、釣銭機に対して釣銭の出金指示を行う。釣銭機は、この出金指示に基づいて収納部から貨幣を繰り出して、釣銭を出金する。
【０００５】
このような従来の釣銭機において、収納部から繰り出された貨幣の金種別枚数を機内在高から減算する場合、リジェクト部に収納された貨幣は機内在高に反映されない。そのため、釣銭機が管理している機内在高は、収納部在高と一致しているが、リジェクト部に収納された貨幣を含めた実際の機内在高とは不一致になるおそれがある。
【０００６】
一方、出金枚数計数部が計数した出金部から出金される貨幣の金種別枚数を機内在高から減算する場合、リジェクト部に収納された貨幣は機内在高に含まれている。そのため、釣銭機が管理している機内在高は、実際の機内在高と一致しているが、リジェクト部に収納されている貨幣を収納部へ戻すことが求められる。
【先行技術文献】
【特許文献】
【０００７】
【特許文献１】特開２０１０−６７１７１号公報
【発明の概要】
【発明が解決しようとする課題】
【０００８】
従来、このような複数の機内在高の管理方法（計算方法）の各々に対応した釣銭機が製造され、各店舗は、採用する機内在高管理方法に対応した釣銭機を設置していた。また、店舗によっては釣銭機の機内在高をＰＯＳサーバ等の上位機へ通知し、複数の釣銭機の機内在高を集中管理するようになっている。店舗の既存システムに、異なる機内在高管理方法に対応した釣銭機を適用することは出来ない。このように、従来の釣銭機は、設置可能な店舗が制限されていた。
【０００９】
本発明は、このような点を考慮してなされたものであり、機内在高を管理する複数の管理モードを切り替え可能にする釣銭機及び在高管理プログラムを提供することを目的とする。
【課題を解決するための手段】
【００１０】
本発明の一態様による釣銭機は、貨幣を受け入れる受入部と、貨幣を金種別に収納するとともに１枚ずつ繰り出すことができる収納部と、貨幣を外部から取り出し可能に出金する出金部と、前記受入部が受け入れた貨幣の識別、前記収納部から繰り出される貨幣の金種別枚数の計数、出金リジェクト貨幣の検出、及び前記出金部から出金される貨幣の金種別枚数の計数を行う識別部と、前記出金リジェクト貨幣を収納するリジェクト部と、在高データを記憶する記憶部と、前記収納部に収納されている貨幣の在高を機内在高とする第１在高管理モードと、前記収納部に収納されている貨幣及び前記リジェクト部に収納されている貨幣の在高を機内在高とする第２在高管理モードを切り替える管理モード切替部と、前記識別部から計数結果を取得し、前記管理モード切替部により前記第１在高管理モードが指定された場合、前記収納部から繰り出される貨幣の金種別枚数の計数結果に基づいて前記在高データを更新し、前記第２在高管理モードが指定された場合、前記出金部から出金される貨幣の金種別枚数の計数結果に基づいて前記在高データを更新する制御部と、を備える。
【００１１】
本発明の一態様による釣銭機においては、預かり貨幣の入金後に釣銭を出金する入金優先モードと、釣銭の出金後に預かり貨幣を入金する出金優先モードを切り替える優先モード切替部をさらに備え、前記優先モード切替部により前記出金優先モードが指定された場合、前記制御部は、前記収納部から繰り出される貨幣の金種別枚数の計数結果に基づいて前記在高データを更新し、前記預かり貨幣のうち、前記識別部がリジェクト貨幣と判定した貨幣を前記リジェクト部に収納させることが好ましい。
【００１２】
本発明の一態様による釣銭機においては、前記優先モード切替部により前記入金優先モードが指定された場合、前記制御部は、前記預かり貨幣のうち、前記識別部がリジェクト貨幣と判定した貨幣を前記出金部から返却させることが好ましい。
【００１３】
本発明の一態様による釣銭機においては、前記管理モード切替部により在高管理モードが切り替えられる場合、前記制御部は、前記収納部に収納されている貨幣を全て繰り出すように制御することが好ましい。
【００１４】
本発明の一態様による釣銭機においては、前記リジェクト部から前記収納部への貨幣の戻し入れを報知する報知部をさらに備え、前記制御部は、前記管理モード切替部により前記第２在高管理モードが指定されており、かつ前記リジェクト部にリジェクト貨幣が収納されている時に、前記報知部が貨幣の戻し入れの報知を行うように制御することが好ましい。
【００１５】
本発明の一態様による釣銭機は、貨幣を受け入れる受入部と、前記受入部が受け入れた貨幣を識別する識別部と、前記識別部が識別した貨幣を金種別に収納するとともに、出金指示に基づいて貨幣を１枚ずつ繰り出すことができる収納部と、前記収納部から繰り出される貨幣の金種別枚数を計数する第１計数部と、貨幣を外部から取り出し可能に出金する出金部と、前記出金指示された出金枚数と、前記第１計数部により計数結果とが異なっていた場合に、前記収納部から繰り出された貨幣を出金リジェクト貨幣として検出する検出部と、前記出金部から出金される貨幣の金種別枚数を計数する第２計数部と、在高データを記憶する記憶部と、前記収納部に収納されている貨幣の在高を機内在高とする第１在高管理モードと、前記収納部に収納されている貨幣及び前記出金リジェクト貨幣を機内在高とする第２在高管理モードを切り替える管理モード切替部と、前記収納部への貨幣の戻し入れを報知する報知部と、前記管理モード切替部により前記第１在高管理モードが指定された場合、前記第１計数部による計数結果に基づいて前記在高データを更新し、前記第２在高管理モードが指定された場合、前記第２計数部による計数結果に基づいて前記在高データを更新するとともに、前記検出部により前記出金リジェクト貨幣が検出されたときは、前記報知部を制御して、前記出金部から出金された前記出金リジェクト貨幣を前記収納部へ戻し入れるよう報知する制御部と、を備える。
【００１６】
本発明の一態様による在高更新プログラムは、記憶部に釣銭機の機内在高を示す在高データを記憶するステップと、金種別に貨幣を収納する収納部に収納されている貨幣在高を前記機内在高とする第１在高管理モードと、前記収納部に収納されている貨幣及び前記釣銭機内のリジェクト部に収納されている出金リジェクト貨幣の在高を前記機内在高とする第２在高管理モードを切り替えるステップと、前記第１在高管理モードが指定された場合に、前記収納部から繰り出される貨幣の金種別枚数の計数結果に基づいて前記在高データを更新するステップと、前記第２在高管理モードが指定された場合に、前記釣銭機の出金部から出金される貨幣の金種別枚数の計数結果に基づいて前記在高データを更新するステップと、をコンピュータに実行させる。
【発明の効果】
【００１７】
本発明によれば、釣銭機の機内在高を管理する複数の管理モードを切り替え可能にすることができる。この結果、釣銭機を様々な店舗に設置することができる。
【図面の簡単な説明】
【００１８】
【図１】本発明の実施形態に係るレジ釣銭機システムの外観斜視図である。
【図２】同実施形態に係る硬貨釣銭機の概略構成図である。
【図３】同実施形態に係る硬貨釣銭機の機能ブロック図である。
【図４】同実施形態に係る紙幣釣銭機の概略構成図である。
【図５】同実施形態に係る紙幣釣銭機の機能ブロック図である。
【図６】同実施形態に係るレジ釣銭機システムを用いた精算処理及び在高更新処理を説明するフローチャートである。
【図７】同実施形態に係るレジ釣銭機システムを用いた精算処理及び在高更新処理を説明するフローチャートである。
【図８】同実施形態に係るレジ釣銭機システムを用いた精算処理及び在高更新処理を説明するフローチャートである。
【図９】店舗サーバと複数のレジ釣銭機とからなるシステムの一例を示す図である。
【図１０】釣銭機サーバと複数のレジ釣銭機とからなるシステムの一例を示す図である。
【図１１】回収処理における操作表示部の表示画面の一例を示す図である。
【発明を実施するための形態】
【００１９】
以下、本発明の実施の形態を図面に基づいて説明する。
【００２０】
図１は、本発明の実施形態に係るレジ釣銭機システムの外観斜視図である。図１に示すように、レジ釣銭機システムは、顧客から支払われた貨幣（硬貨及び紙幣）の計数や釣銭の出金を行う硬貨釣銭機１００及び紙幣釣銭機２００と、顧客の購入商品の登録や釣銭額の算出を行うレジスタ３００とを備えている。
【００２１】
図１に示すように、レジスタ３００は、ディスプレイ３０２、入力部３０４、カスタマーディスプレイ３０２ａ、及び印字部３０６を備えている。また、レジスタ３００は、紙幣釣銭機２００との通信機能を有している。また、レジスタ３００にはハンディスキャナや据置型スキャナ等のスキャナ機構（図示せず）が接続されている。スキャナ機構は、商品に付されたバーコード等の読み取りを行い、商品のコード情報（商品情報）をレジスタ３００に通知する。
【００２２】
レジスタ３００は、スキャナ機構から通知されたコード情報に基づいて顧客の購入商品の登録を行うと共に、商品の金額を取得する。顧客の購入商品の登録や金額の入力は、オペレータが入力部３０４を介して行ってもよい。
【００２３】
入力部３０４には、顧客が購入する商品の合計金額の算出を指示する指示手段が設けられている。指示手段は例えば小計ボタンであり、オペレータによりこの小計ボタンが押されると、レジスタ３００は、登録されている購入商品の合計金額を算出する。また、レジスタ３００は、入力部３０４を用いたオペレータの手入力、又は紙幣釣銭機２００からの通知に基づいて、顧客の支払い金額を取得する。レジスタ３００は、顧客の支払い金額と購入商品の合計金額の差額を計算して釣銭を求め、紙幣釣銭機２００へ釣銭出金指示を出力する。
【００２４】
また、レジスタ３００は、紙幣釣銭機２００から、紙幣釣銭機２００及び硬貨釣銭機１００の機内在高を取得することができる。さらに、レジスタ３００は、登録した商品情報や、購入商品の合計金額、顧客の支払い金額、釣銭額、紙幣釣銭機２００及び硬貨釣銭機１００の機内在高等をホストコンピュータ（図示せず）へ送信してもよい。
【００２５】
次に、硬貨釣銭機１００の構成について、図１〜図３を用いて説明する。図２は、硬貨釣銭機１００の概略構成図であり、図３は硬貨釣銭機１００の機能ブロック図である。
【００２６】
硬貨釣銭機１００は、外部から硬貨を受け入れる受入部１１４、受入部１１４から受け入れた受入硬貨の識別計数を行う識別部１０１、識別部１０１による識別結果に応じて受入硬貨を額面別に収納する収納部１０６、及び機内の硬貨を外部から取り出し可能に出金する出金部１１６を備える。
【００２７】
図１に示すように、硬貨釣銭機１００は前部上面に操作表示部１１２を有する筐体１１０を備える。筐体１１０の前部には受入部１１４及び出金部１１６が設けられている。
【００２８】
受入部１１４は受け入れた硬貨を１層１列状態で１枚ずつ機内へ取り込む。図２に示すように、受入部１１４の後方には取り込まれた硬貨を搬送する入金搬送部１０３が延びている。
【００２９】
この入金搬送部１０３の途中には硬貨の識別・計数を行う識別部１０１と、分岐部１０４が設けられている。分岐部１０４は識別部１０１の識別結果に基づいて、リジェクト硬貨を出金搬送部１０８へ案内（搬送）する。
【００３０】
正常硬貨等の機内に収納される硬貨は入金搬送部１０３により収納部１０６へ搬送される。収納部１０６は硬貨を金種別に収納し、例えば入金搬送部１０３の上流側から高額順に硬貨を収納する。
【００３１】
出金搬送部１０８は収納部１０６から繰り出された硬貨を出金部１１６へ搬送する。また、出金搬送部１０８は、分岐部１０４から案内された硬貨を出金部１１６へ搬送する。
【００３２】
収納部１０６の繰出口には、繰り出される硬貨の枚数を計数するセンサ１２０が設けられている。また、出金部１１６の直前の搬送部１０８上には、出金搬送部１０８から出金される硬貨の金種別枚数を計数するセンサ１２２が設けられている。
【００３３】
図２及び図３に示すように、硬貨釣銭機１００には、各部の制御を行う制御部１３０が設けられている。制御部１３０は、紙幣釣銭機２００を介してレジスタ３００と通信可能に接続されており、様々な情報の送受信を行う。例えば、制御部１３０は、釣銭硬貨の出金指示を受信したり、硬貨釣銭機１００の機内在高や入金硬貨の計数結果を送信したりする。
【００３４】
また、制御部１３０は、出金指示された金種別枚数と、センサ１２０の計数結果とが一致しなかった場合、エラーを検知し、そのときに収納部１０６から繰り出された硬貨を出金リジェクト硬貨として検出する。
【００３５】
また、図３に示すように、硬貨釣銭機１００は、オペレータに対してリジェクト硬貨の存在を報知する報知部１４０及び機内在高等を記憶する記憶部１５０を備えている。報知部１４０は、出金部１１６からリジェクト硬貨が払い出された場合に、ランプ等の照明部（図示せず）を点滅させたり、リジェクト硬貨が放出されたことを操作表示部１１２に表示させたりする。記憶部１５０の機内在高は制御部１３０により更新される。
【００３６】
また、記憶部１５０は制御プログラムを記憶しており、制御部１３０は、この制御プログラムを実行して硬貨釣銭機１００の全体を制御している。記憶部１５０は、各種プログラムおよびデータを格納するＲＯＭ（Read Only Memory）またはＨＤＤ(Hard Disk Drive)、および、プログラムのロード領域やプログラム実行時における作業領域となるＲＡＭ(Random Access Memory)等を含む。
【００３７】
さらに、硬貨釣銭機１００には、後述する管理モード切替部１６０及び優先モード切替部１７０が設けられている。
【００３８】
次に、紙幣釣銭機２００の構成について、図１、図４及び図５を用いて説明する。図４は、紙幣釣銭機２００の概略構成図であり、図５は紙幣釣銭機２００の機能ブロック図である。
【００３９】
紙幣釣銭機２００は、外部から紙幣を受け入れる受入部２１４、受入部２１４から受け入れた紙幣の識別計数を行う識別部２０１、識別部２０１による識別結果に応じて紙幣を金種別に収納する収納部２０６、及び機内の紙幣を外部に出金する出金部２１６を備える。
【００４０】
紙幣釣銭機２００は、筐体２１０と、この筐体２１０内の略中央部に設けられた環状の周回搬送部２０３ａとを備えている。また、受入部２１４、収納部２０６、出金部２１６、リジェクト部２０４、及び回収カセット２０７が、周回搬送部２０３ａの外周を取り囲むように配置されている。
【００４１】
また、受入部２１４、各収納部２０６、出金部２１６、リジェクト部２０４、及び回収カセット２０７と、周回搬送部２０３ａとの間を接続する紙幣の接続搬送部２０３ｂがそれぞれ形成されている。周回搬送部２０３ａには、通過する紙幣の識別・計数を行う識別部２０１が設けられている。
【００４２】
また、周回搬送部２０３ａと各接続搬送部２０３ｂとの間で紙幣の搬送経路を切り替える経路切替部（図示せず）が周回搬送部２０３ａに沿って配置されている。
【００４３】
筐体２１０の前面には受入部２１４の受入口２１４ａと、出金部２１６の出金口２１６ａとが設けられている。回収カセット２０７は筐体２１０に対して着脱自在に取り付けられている。また、筐体２１０の前部上面に操作表示部２１２が設けられている。
【００４４】
受入部２１４は受入口２１４ａに挿入された紙幣を１枚ずつ取り込んで、周回搬送部２０３ａ側へ繰り出す。各収納部２０６は、識別部２０１の識別結果に基づいて紙幣を金種別に収納する。出金部２１６は、各収納部２０６から取り出された紙幣を出金口２１６ａより放出する。
【００４５】
リジェクト部２０４は、収納部２０６から繰り出された紙幣のうち、斜行等により識別部２０１で識別のできない紙幣を出金リジェクト紙幣として収納する。また、受入部２１４から取り込まれた紙幣のうち、汚損等により識別部２０１で識別のできない紙幣は入金リジェクト紙幣として払出部２１６に返却されるか、又はリジェクト部２０４に収納される。入金リジェクト紙幣の搬送先は、後述する管理モード及び優先モードの設定に応じて変わる。
【００４６】
また、図４及び図５に示すように、紙幣釣銭機２００には、各部の制御を行う制御部２３０が設けられている。制御部２３０は、硬貨釣銭機１００の制御部１３０及びレジスタ３００と通信可能に接続されており、様々な情報の送受信を行う。例えば、制御部２３０は、レジスタ３００から釣銭出金指示を受信し、硬貨釣銭出金指示を制御部１３０へ送信する。また、制御部２３０は、入金紙幣の計数結果や、紙幣釣銭機２００の機内在高をレジスタ３００へ送信する。また、制御部２３０は、制御部１３０から受信した硬貨釣銭機１００の機内在高や入金硬貨の計数結果をレジスタ３００へ送信する。
【００４７】
また、図５に示すように、紙幣釣銭機２００は、オペレータに対してリジェクト紙幣の存在を報知する報知部２４０及び機内在高等を記憶する記憶部２５０を備えている。報知部２４０は、例えば、リジェクト紙幣を検出したことを操作表示部２１２に表示させたりする。記憶部２５０に記憶されている機内在高は制御部２３０により更新される。
【００４８】
また、記憶部２５０は制御プログラムを記憶しており、制御部２３０は、この制御プログラムを実行して紙幣釣銭機２００の全体を制御している。記憶部２５０は、各種プログラムおよびデータを格納するＲＯＭ（Read Only Memory）またはＨＤＤ(Hard Disk Drive)、および、プログラムのロード領域やプログラム実行時における作業領域となるＲＡＭ(Random Access Memory)等を含む。
【００４９】
また、紙幣釣銭機２００は、機内在高の管理モードを切り替える管理モード切替部２６０を備えている。紙幣釣銭機２００には、収納部２０６に収納されている紙幣の在高を機内在高とする第１在高管理モードと、収納部２０６に収納されている紙幣及びリジェクト部２０４に収納されている紙幣の合計を機内在高とする第２在高管理モードの２種類の管理モードを設定することができ、管理モード切替部２６０はこれら２種類の管理モードの切り替えを行う。管理モードの切り替え指示は、例えば、オペレータから操作表示部２１２を介して受け付けたり、レジスタ３００から受け付けたりする。
【００５０】
上述した管理モードの切り替え指示に基づいて、硬貨釣銭機１００の管理モード切替部１６０が機内在高の管理モードを切り替える。硬貨釣銭機１００の第１在高管理モードは、収納部１０６に収納されている硬貨の在高を機内在高とするものであり、第２在高管理モードは、収納部１０６に収納されている硬貨及び出金部１１６から出金リジェクト硬貨として放出された硬貨の合計を機内在高とするものである。硬貨釣銭機１００は、例えば、管理モードの切り替え指示を紙幣釣銭機２００の制御部２３０から通知される。硬貨釣銭機１００及び紙幣釣銭機２００には同じ管理モードが設定される。
【００５１】
図５に示すように、紙幣釣銭機２００は、顧客からの預かり紙幣の入金後に釣銭紙幣を出金する入金優先モードと、釣銭紙幣の出金後に預かり紙幣を入金する出金優先モードを切り替える優先モード切替部２７０をさらに備えている。優先モードの切り替え指示は、例えば、オペレータから操作表示部２１２を介して受け付けたり、レジスタ３００から受け付けたりする。
【００５２】
同様に、上述した優先モードの切り替え指示に基づいて、硬貨釣銭機１００の優先モード切替部２７０も、顧客からの預かり硬貨の入金後に釣銭硬貨を出金する入金優先モードと、釣銭硬貨の出金後に預かり硬貨を入金する出金優先モードを切り替える。硬貨釣銭機１００は、例えば、優先モードの切り替え指示を紙幣釣銭機２００の制御部２３０から通知される。
【００５３】
紙幣釣銭機２００は、出金優先モードの設定時、顧客からの預かり紙幣に含まれている入金リジェクト紙幣をリジェクト部２０４に収納する。つまり、リジェクト部２０４には入金リジェクト紙幣と出金リジェクト紙幣が混在することになり、リジェクト部２０４内の紙幣の正確な在高を紙幣釣銭機２００側で把握することができない。そのため、釣銭機（硬貨釣銭機１００及び紙幣釣銭機２００）に出金優先モードが設定された場合、機内在高の管理モードは、収納部１０６、２０６に収納されている貨幣の在高を機内在高とする第１在高管理モードが自動設定されるようにしてもよいし、第２在高管理モードを選択・設定できないようにしてもよい。
【００５４】
このことから、硬貨釣銭機１００及び紙幣釣銭機２００に設定される機内在高管理モードと優先モードの設定の組み合わせは以下の３パターンとなる。
【表１】
0005845007.tif 000002
【００５５】
なお、機内に貨幣が存在している状態で在高管理モードを切り替える場合は、収納部１０６、２０６内の貨幣を一旦全て回収（全回収）し、記憶部１５０、２５０の在高データをリセットした上で、補充することが必要となる。
【００５６】
次に、このようなレジ釣銭機システムを用いた精算方法及び釣銭機の機内在高更新方法を、釣銭機の設定モード別に説明する。
【００５７】
まず、釣銭機に第１在高管理モード及び出金優先モードが設定されている場合（パターン１）について、図６に示すフローチャートを用いて説明する。
【００５８】
（ステップＳ１０１）顧客が購入する商品の商品情報がレジスタ３００に登録され、購入金額が算出される。
【００５９】
（ステップＳ１０２）顧客の支払い貨幣をオペレータが計数し、支払い金額をレジスタ３００の入力部３０４から手入力する。
【００６０】
（ステップＳ１０３）レジスタ３００が、ステップＳ１０２で入力された支払い金額から、ステップＳ１０１で算出した購入金額を減じて釣銭額を算出する。そして、レジスタ３００が、釣銭額に基づいて紙幣釣銭機２００の制御部２３０へ釣銭出金指示を出力する。
【００６１】
（ステップＳ１０４）紙幣釣銭機２００が釣銭出金指示に基づいて釣銭紙幣を出金する。また、紙幣釣銭機２００は硬貨釣銭の出金指示を硬貨釣銭機１００へ通知し、硬貨釣銭機１００が釣銭硬貨を出金する。オペレータは、釣銭紙幣及び釣銭硬貨を顧客へ渡す。
【００６２】
このとき、出金リジェクト紙幣はリジェクト部２０４に収納され、出金リジェクト硬貨は釣銭硬貨とは区別して出金される。例えば、出金リジェクト硬貨の出金後、オペレータが出金リジェクト硬貨を別途保管し、操作表示部１１２に出金指示を与えると、改めて釣銭硬貨が出金される。
【００６３】
（ステップＳ１０５）制御部１３０が、収納部１０６から繰り出された硬貨の金種別枚数をセンサ１２０から取得し、これを記憶部１５０の在高データから減じることで、在高データを更新する。また、制御部２３０が、収納部２０６から繰り出された紙幣の金種別枚数を識別部２０１から取得し、これを記憶部２５０の在高データから減じて、在高データを更新する。
【００６４】
（ステップＳ１０６）顧客の支払い貨幣が硬貨釣銭機１００及び紙幣釣銭機２００に入金される。
【００６５】
このとき、入金リジェクト紙幣はリジェクト部２０４に収納される。また、入金リジェクト硬貨は、出金部１１６から出金され、別途保管される。
【００６６】
（ステップＳ１０７）制御部１３０が、収納部１０６に収納された硬貨の金種別枚数を識別部１０１から取得し、これを記憶部１５０の在高データに加えることで、在高データを更新する。収納部１０６に収納された硬貨とは、ステップＳ１０６で入金された正常な硬貨、すなわち入金リジェクト硬貨と判別されなかった硬貨である。
【００６７】
また、制御部２３０が、収納部２０６に収納された紙幣の金種別枚数を識別部２０１から取得し、これを記憶部２５０の在高データに加えることで、在高データを更新する。収納部２０６に収納された紙幣とは、ステップＳ１０６で入金された正常な紙幣、すなわち入金リジェクト紙幣と判別されリジェクト部２０４に収納されなかった紙幣である。
【００６８】
このように、リジェクト部２０４には入金リジェクト紙幣と出金リジェクト紙幣とが混在するが、記憶部２５０の在高データは、収納部２０６から繰り出された紙幣の金種別枚数及び収納部２０６に収納された紙幣の金種別枚数に基づいて更新される。第１在高管理モードは、収納部２０６に収納されている貨幣を機内在高とするため、記憶部２５０の在高データは正確なものとして扱うことができる。
【００６９】
同様に、記憶部１５０の在高データは、収納部１０６から繰り出された硬貨の金種別枚数及び収納部１０６に収納された硬貨の金種別枚数に基づいて更新される。第１在高管理モードは、収納部１０６に収納されている貨幣を機内在高とするため、記憶部１５０の在高データは正確なものとして扱うことができる。
【００７０】
第１在高管理モードでは、収納部１０６、２０６から繰り出された貨幣を機内在高として扱わないため、リジェクト貨幣の戻し入れを行う必要がない。
【００７１】
次に、釣銭機に第１在高管理モード及び入金優先モードが設定されている場合（パターン２）について、図７に示すフローチャートを用いて説明する。
【００７２】
（ステップＳ２０１）顧客が購入する商品の商品情報がレジスタ３００に登録され、購入金額が算出される。
【００７３】
（ステップＳ２０２）顧客のからの預かり貨幣が硬貨釣銭機１００及び紙幣釣銭機２００に投入され、識別・計数される。このとき、入金リジェクト硬貨は出金部１１６から返却され、入金リジェクト紙幣は出金部２１６から返却される。正常な貨幣は収納部１０６、２０６に収納される。
【００７４】
（ステップＳ２０３）制御部１３０が、収納部１０６に収納された硬貨の金種別枚数を識別部１０１から取得し、これを記憶部１５０の在高データに加えることで、在高データを更新する。また、制御部２３０が、収納部２０６に収納された紙幣の金種別枚数を識別部２０１から取得し、これを記憶部２５０の在高データに加えることで、在高データを更新する。
【００７５】
また、紙幣釣銭機２００は、硬貨釣銭機１００から正常に入金処理された硬貨の金額を取得し、正常に入金処理された紙幣の金額との合計金額をレジスタ３００に通知する。
【００７６】
（ステップＳ２０４）レジスタ３００が、ステップＳ２０３で通知された合計金額から、ステップＳ２０１で算出した購入金額を減じて、釣銭額を算出する。そして、レジスタ３００が、釣銭額に基づいて紙幣釣銭機２００の制御部２３０へ釣銭出金指示を出力する。
【００７７】
（ステップＳ２０５）紙幣釣銭機２００が釣銭出金指示に基づいて釣銭紙幣を出金する。また、紙幣釣銭機２００は硬貨釣銭の出金指示を硬貨釣銭機１００へ通知し、硬貨釣銭機１００が釣銭硬貨を出金する。オペレータは、釣銭紙幣及び釣銭硬貨を顧客へ渡す。
【００７８】
このとき、出金リジェクト紙幣はリジェクト部２０４に収納され、出金リジェクト硬貨は釣銭硬貨とは区別して出金される。例えば、出金リジェクト硬貨の出金後、オペレータが出金リジェクト硬貨を取り出し、操作表示部１１２に出金指示を与えると、改めて釣銭硬貨が出金される。
【００７９】
（ステップＳ２０６）制御部１３０が、収納部１０６から繰り出された硬貨の金種別枚数をセンサ１２０から取得し、これを記憶部１５０の在高データから減じることで、在高データを更新する。また、制御部２３０が、収納部２０６から繰り出された紙幣の金種別枚数を識別部２０１から取得し、これを記憶部２５０の在高データから減じて、在高データを更新する。
【００８０】
このように、記憶部２５０の在高データは、収納部２０６から繰り出された紙幣の金種別枚数及び収納部２０６に収納された紙幣の金種別枚数に基づいて更新される。第１在高管理モードは、収納部２０６に収納されている貨幣を機内在高とするため、記憶部２５０の在高データは正確なものとして扱うことができる。
【００８１】
同様に、記憶部１５０の在高データは、収納部１０６から繰り出された硬貨の金種別枚数及び収納部１０６に収納された硬貨の金種別枚数に基づいて更新される。第１在高管理モードは、収納部１０６に収納されている貨幣を機内在高とするため、記憶部１５０の在高データは正確なものとして扱うことができる。
【００８２】
上述したように、第１在高管理モードでは、収納部１０６、２０６から繰り出された貨幣を機内在高として扱わないため、リジェクト貨幣の戻し入れを行う必要がない。
【００８３】
次に、釣銭機に第２在高管理モード及び入金優先モードが設定されている場合（パターン３）について、図８に示すフローチャートを用いて説明する。
【００８４】
（ステップＳ３０１）顧客が購入する商品の商品情報がレジスタ３００に登録され、購入金額が算出される。
【００８５】
（ステップＳ３０２）顧客のからの預かり貨幣が硬貨釣銭機１００及び紙幣釣銭機２００に投入され、識別・計数される。このとき、入金リジェクト硬貨は出金部１１６から返却され、入金リジェクト紙幣は出金部２１６から返却される。正常な貨幣は収納部１０６、２０６に収納される。
【００８６】
（ステップＳ３０３）制御部１３０が、収納部１０６に収納された硬貨の金種別枚数を識別部１０１から取得し、これを記憶部１５０の在高データに加えることで、在高データを更新する。また、制御部２３０が、収納部２０６に収納された紙幣の金種別枚数を識別部２０１から取得し、これを記憶部２５０の在高データに加えることで、在高データを更新する。
【００８７】
また、紙幣釣銭機２００は、硬貨釣銭機１００から正常に入金処理された硬貨の金額を取得し、正常に入金処理された紙幣の金額との合計金額をレジスタ３００に通知する。
【００８８】
（ステップＳ３０４）レジスタ３００が、ステップＳ３０３で通知された合計金額から、ステップＳ３０１で算出した購入金額を減じて、釣銭額を算出する。そして、レジスタ３００が、釣銭額に基づいて紙幣釣銭機２００の制御部２３０へ釣銭出金指示を出力する。
【００８９】
（ステップＳ３０５）紙幣釣銭機２００が釣銭出金指示に基づいて釣銭紙幣を出金する。また、紙幣釣銭機２００は硬貨釣銭の出金指示を硬貨釣銭機１００へ通知し、硬貨釣銭機１００が釣銭硬貨を出金する。オペレータは、釣銭紙幣及び釣銭硬貨を顧客へ渡す。
【００９０】
このとき、出金リジェクト紙幣はリジェクト部２０４に収納され、出金リジェクト硬貨は釣銭硬貨とは区別して出金される。例えば、出金リジェクト硬貨の出金後、操作表示部１１２がオペレータから指示を受け付けると、改めて釣銭硬貨が出金される。
【００９１】
（ステップＳ３０６）制御部１３０が、釣銭硬貨として正常に出金された硬貨の金種別枚数をセンサ１２２から取得し、これを記憶部１５０の在高データから減じることで、在高データを更新する。また、制御部２３０が、釣銭紙幣として正常に出金された紙幣の金種別枚数を識別部２０１から取得し、これを記憶部２５０の在高データから減じて、在高データを更新する。
【００９２】
（ステップＳ３０７）ステップＳ３０５において出金リジェクト貨幣があった場合はステップＳ３０８へ進む。
【００９３】
（ステップＳ３０８）報知部１４０又は２４０が、出金リジェクト貨幣を収納部１０６又は２０６へ戻し入れるように報知する。
【００９４】
このように、記憶部２５０の在高データは、収納部２０６に収納された紙幣の金種別枚数及び出金部２１６から正常な紙幣として出金された紙幣の金種別枚数に基づいて更新される。つまり、リジェクト部２０４に収納されている出金リジェクト紙幣は在高データに含まれている。第２在高管理モードは、収納部２０６に収納されている紙幣及びリジェクト部２０４に収納されている紙幣の合計在高を機内在高とするため、記憶部２５０の在高データは正確なものとして扱うことができる。また、紙幣釣銭機２００の機内に実際に存在する紙幣（収納部２０６及びリジェクト部２０４に収納されている紙幣）が在高データと一致する。そのため、紙幣釣銭機２００の障害等により出金リジェクト紙幣が生じた場合も、実際の機内在高と在高データとが不一致になることを防止できる。
【００９５】
同様に、記憶部１５０の在高データは、収納部１０６に収納された硬貨の金種別枚数及び出金部１１６から正常な硬貨として出金された硬貨の金種別枚数に基づいて更新される。つまり、出金リジェクト硬貨として顧客に渡されていない硬貨は在高データに含まれている。第２在高管理モードは、収納部１０６に収納されている硬貨及び出金部１１６から出金リジェクト硬貨として放出された硬貨の合計を機内在高とするため、記憶部１５０の在高データは正確なものとして扱うことができる。
【００９６】
また、出金リジェクト硬貨が発生した場合は、報知部１４０が硬貨の戻し入れを促す。出金リジェクト硬貨を収納部１０６に戻し入れることで、実際の機内在高と在高データとが不一致になることを防止できる。
【００９７】
このように、本実施形態に係る釣銭機は、機内在高を管理するための互いに異なる２つの管理モードと、顧客からの預かり貨幣の入金及び出金の優先度を決める優先モードとを切り替えることができる。
【００９８】
図９に示すように、硬貨釣銭機１００、紙幣釣銭機２００、及びレジスタ３００からなるレジ釣銭機システムを複数設け、各レジスタ３００から、硬貨釣銭機１００及び紙幣釣銭機２００の機内在高や、顧客購入商品情報を取得する店舗サーバ４００を設けてもよい。さらに、この店舗サーバ４００が、硬貨釣銭機１００及び紙幣釣銭機２００に設定する管理モード及び優先モードを指示するようにしてもよい。
【００９９】
また、図１０に示すように、硬貨釣銭機１００、紙幣釣銭機２００、及びレジスタ３００からなるレジ釣銭機システムを複数設け、各釣銭機から機内在高を取得する釣銭機サーバ５００を設けてもよい。さらに、この釣銭機サーバ５００が、硬貨釣銭機１００及び紙幣釣銭機２００に設定する管理モード及び優先モードを指示するようにしてもよい。
【０１００】
また、店舗が採用する管理モード及び優先モードの組み合わせを、メモリカード等の記録媒体に格納し、釣銭機又はレジスタ３００がこの記録媒体の内容を読み出して設定を行ってもよい。
【０１０１】
図１１に示すように、硬貨釣銭機１００及び紙幣釣銭機２００は、機内の貨幣を回収する際に、収納部１０６、２０６から繰り出した貨幣の金種別枚数や合計金額、レジ番号、機内に残置してある貨幣の金種別枚数等を含む回収データを示す二次元バーコードを操作表示部１１２、２１２の画面に表示してもよい。全回収の際、収納部１０６から繰り出された硬貨は出金部１１６から出金され、収納部２０６から繰り出された紙幣は回収カセット２０７に収納される。
【０１０２】
このとき、硬貨釣銭機１００又は紙幣釣銭機２００の一方が他方へ回収データを送信し、回収した硬貨と紙幣の両方についての回収データを１つの二次元バーコードで表示することが好ましい。なお、図１１は、硬貨釣銭機１００の操作表示部１１２に回収データを示す二次元バーコードが表示される例を示している。
【０１０３】
オペレータは、携帯電話機等の端末の二次元バーコード読み取り機能を用いて、操作表示部１１２、２１２に表示されている二次元バーコードを読み取り、回収データを取得する。端末は、取得した回収データを、Ｅメールに添付して管理サーバへ送信する。また、端末と管理サーバとを有線又は無線ＬＡＮで接続して、回収データを端末から管理サーバへ転送してもよい。そして、オペレータは、出金部１１６から出金された硬貨と回収カセット２０７を店舗の出納室などへ運搬する。
【０１０４】
このように、携帯電話機等の端末を利用して、正確な回収データを速やかに管理サーバへ送信することで、回収金額の即日決済が可能となる。
【０１０５】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【０１０６】
１００  硬貨釣銭機
１０１  識別部
１０６  収納部
１１４  受入部
１１６  出金部
１３０  制御部
１６０  管理モード切替部
１７０  優先モード切替部
２００  紙幣釣銭機
２０１  識別部
２０４  リジェクト部
２０６  収納部
２０７  回収カセット
２１４  受入部
２１６  出金部
２６０  管理モード切替部
２７０  優先モード切替部
３００  レジスタ
４００  店舗サーバ
５００  釣銭機サーバ
【図１】
0005845007.tif 000003
【図２】
0005845007.tif 000004
【図３】
0005845007.tif 000005
【図４】
0005845007.tif 000006
【図５】
0005845007.tif 000007
【図６】
0005845007.tif 000008
【図７】
0005845007.tif 000009
【図８】
0005845007.tif 000010
【図９】
0005845007.tif 000011
【図１０】
0005845007.tif 000012
【図１１】
0005845007.tif 000013